(57)【要約】【課題】  振動検出部材に伝わる不要な振動を大幅に低減し、鏡筒本体の小型化を図ること。【解決手段】  第１の固定筒と、前記第１の固定筒に対して一部が重なって該第１の固定筒に保持された第２の固定筒と、前記第１の固定筒と前記第２の固定筒との重なった領域に保持された振動検出部材とを有する。【選択図】  図１
2009053334.tif 000002
【特許請求の範囲】
【請求項１】
第１の固定筒と、
前記第１の固定筒に対して一部が重なって該第１の固定筒に保持された第２の固定筒と、
前記第１の固定筒と前記第２の固定筒との重なった領域に保持された振動検出部材と
を有することを特徴とするレンズ鏡筒。
【請求項２】
請求項１に記載のレンズ鏡筒と、
前記レンズ鏡筒を装着したカメラ本体と
を有することを特徴とする光学機器。
【発明の詳細な説明】
【技術分野】
【０００１】
本発明は、レンズ鏡筒およびレンズ鏡筒を装着したカメラである光学機器に関する。
【背景技術】
【０００２】
現在のカメラは、露出決定やピント合わせ等の撮影にとって重要な作業は全て自動化され、カメラ操作に慣れていない人でも撮影失敗を起こす可能性は非常に少なくなっている。また、最近では、撮影時にレンズ鏡筒に加わる手振れを補正するシステムも実用化されており、撮影者の撮影ミスを減らすことができる。
【０００３】
ここで、手振れを補正する防振システムについて簡単に説明する。撮影時、レンズ鏡筒が手振れにより傾くと、被写体からの光束がレンズ光軸に対して相対変位し、像振れとなる。一方レンズを偏心させると光束を偏向させる作用が生じる。そこで補正光学系を、振れ検出部材の検出情報に基づき光軸に対して垂直方向に移動し、像の中心を画面中央に戻すような制御を行う。
【０００４】
上述の防振技術において、振動検出部材として用いられる例として、手振れの角速度を検出する振動ジャイロがある（特許文献１参照）。
【０００５】
こうした振動検出部材を振動検出に用いる一方で、手振れ以外のカメラボディからの振動により振動検出部材の出力信号に誤差が生じ、像振れ補正に悪影響を及ぼしていた。
【０００６】
そこで、振動検出部材へ加わるカメラボディからの振動を低減させるために、振動検出部材を緩衝部材で包み、該緩衝部材を介して振動検出部材を構造部材に固定している。更に緩衝部材の緩衝力を調整する機構を有している（特許文献２参照）。
【特許文献１】特開平０２−１２９５１４号公報
【特許文献２】特開平０３−３７６１６号公報
【発明の開示】
【発明が解決しようとする課題】
【０００７】
特許文献２の構成のように振動検出部材を緩衝部材で包み、該緩衝部材を介して構造部材に固定することは、振動検出部材へ加わるカメラボディからの振動を低減する効果がある。その一方、緩衝部材を用いることで緩衝部材を配置するスペースが必要となり、またコストがかかってしまう。
【０００８】
そこで本発明は、振動検出部材に伝わる不要な振動を大幅に低減することができ、鏡筒本体の小型化を図ることのできるレンズ鏡筒および光学機器を提供することを目的とする。
【課題を解決するための手段】
【０００９】
本発明では、第１の固定筒と、前記第１の固定筒に対して一部が重なって該第１の固定筒に保持された第２の固定筒と、前記第１の固定筒と前記第２の固定筒との重なった領域に保持された振動検出部材とを有することを特徴としている。
【発明の効果】
【００１０】
本発明のレンズ鏡筒および光学機器では、振動検出部材に伝わる不要な振動を大幅に低減することができ、鏡筒本体の小型化を図ることができる。
【発明を実施するための最良の形態】
【００１１】
以下に、本発明の実施の形態を添付の図面に基づいて詳細に説明する。
【実施例１】
【００１２】
図１は本発明にかかるレンズ鏡筒およびカメラ本体を含む光学機器の概略断面図であり、光軸を中心にして上側半分を示している。
【００１３】
図１において、２００はカメラ本体、２０１はカメラ側マウントを示している。カメラ本体２００内には図示を省略した撮像素子が設けられている。１０２はレンズ側のマウントである。マウント１０２は後側固定筒１０３に径嵌合し、マウント１０２は後側固定筒１０３の当接部１０３ａに当接して光軸方向の位置が規制されている。後側固定筒１０３はマウント１０２と光軸方向において、ネジなどの締結部材１０４によって固定されている。
【００１４】
１０５は中間固定筒であり、中間固定筒１０５は後側固定筒１０３に径嵌合し、当接部１０５ａが後側固定筒１０３に当接して中間固定筒１０５の光軸方向の位置が規制されている。中間固定筒１０５は後側固定筒１０３に光軸方向において、ネジなどの締結部材１０６によって固定されている。中間固定筒１０５の先端側の内周面には、ネジ部１０５ｂが形成されている。
【００１５】
１０７は前側固定筒であり、前側固定筒１０７の先端（カメラ本体２００側）には、中間固定筒１０５に当接する当接部１０７ａが設けられ、外周面には、中間固定筒１０５のネジ部１０５ｂに螺合するネジ部１０７ｂが形成されている。前側固定筒１０７はネジ部１０７ｂが中間固定筒１０５のネジ部１０５ｂにネジ結合され、当接部１０７ａが中間固定筒１０５に当接されて光軸方向の位置が規制されて中間固定筒１０５に保持されている。ここで、後側固定筒１０３とこれに一体に固定された中間固定筒１０５とが第１の固定筒に対応し、前側固定筒１０７が第２の固定筒に対応する。また第１の固定筒として、別体の後側固定筒１０３と中間固定筒１０５と一体に固定する構成としたが、後側固定筒１０３と中間固定筒１０５とを一体に形成した後側固定筒としてもよい。
【００１６】
１０８は振動ジャイロセンサーである振動検出部材を示し、１０９は振動検出部材１０８を実装したプリント基板を示している。振動検出部材１０８は、ネジ部１０７ｂとネジ部１０５ｂとがネジ結合した前側固定筒１０７と中間固定筒１０５との一部が重なった領域で、中間固定筒１０５の外周にプリント基板１０９が接着されることにより固定されている。
【００１７】
ネジ部１０７ｂとネジ部１０５ｂとがネジ結合した前側固定筒１０７と中間固定筒１０５との一部が重なった領域は、重なっていない部分に比べて剛性が高くなっている。これによりカメラ本体２００からの図示を省略したクイックリターンミラーの動作による振動などの不要な振動がマウント１０２、後側固定筒１０３から伝わっても上述の重なった領域で大幅に低減される。これにより、振動検出部材１０８に不要な振動が伝わることが大幅に低減される。
【００１８】
上記の構成をとることで、振動検出部材１０８へ加わるカメラ本体２００からの不要な振動を大幅に低減させることができる。また、振動検出部材１０８は従来のような緩衝部材を用いることなく中間固定筒１０５に固定させたので、鏡筒全体の省スペース化を図り、コスト削減が可能である。
【実施例２】
【００１９】
図２は本発明の実施例２におけるレンズ鏡筒およびカメラ本体を含む光学機器の概略断面図であり、光軸を中心にして上側半分を示している。
【００２０】
この実施例では、実施例１における中間固定筒と前側固定筒との保持構造が異なっており、図１と共通する部分には同一の符号を付している。
【００２１】
図２において、３０５は中間固定筒を示している。中間固定筒３０５は後側固定筒１０３に径嵌合し、当接部３０５ａが後側固定筒１０３に当接して中間固定筒３０５の光軸方向の位置が規制されている。中間固定筒３０５は後側固定筒１０３に光軸方向において、ネジである締結部材１０６によって固定されている。中間固定筒３０５には貫通孔が形成されたフランジ部３０５ｂが形成されている。
【００２２】
３０７は前側固定筒であり、前側固定筒３０７の先端（カメラ本体２００側）には、中間固定筒３０５のフランジ部３０５ｂに当接する当接部３０７ａとネジ穴３０７ｂが設けられている。また、前側固定筒３０７の外周面には、中間固定筒３０５の内径に当接する大径部３０７ｃが形成されている。前側固定筒３０７はその先端側（カメラ本体２００側）が中間固定筒３０５の内径に係合され、大径部３０７ｃが中間固定筒３０５の内径に当接されている。前側固定筒３０７の当接部３０７ａは中間固定筒３０５のフランジ部３０５ｂに当接され、ネジである締結部材３０１がネジ穴３０７ｂに螺合され、前側固定筒３０７が中間固定筒３０５に保持されている。ここで、後側固定筒１０３とこれに一体に固定された中間固定筒３０５とが第１の固定筒に対応し、前側固定筒３０７が第２の固定筒に対応する。また第１の固定筒として、別体の後側固定筒１０３と中間固定筒３０５と一体に固定する構成としたが、後側固定筒１０３と中間固定筒３０５とを一体に形成した後側固定筒としてもよい。
【００２３】
振動検出部材１０８は、前側固定筒３０７の大径部３０７ｃと中間固定筒３０５の内径が当接した領域で、中間固定筒３０５の外周にプリント基板１０９が接着されることにより固定されている。
【００２４】
前側固定筒３０７の大径部３０７ｃと中間固定筒３０５との一部が重なった領域（当接下領域）は、重なっていない部分に比べて剛性が高くなっている。これによりカメラ本体２００からの図示を省略したクイックリターンミラーの動作による振動などの不要な振動がマウント１０２、後側固定筒１０３から伝わっても上述の重なった領域で大幅に低減される。これにより、振動検出部材１０８に不要な振動が伝わることが大幅に低減される。
【００２５】
上記の構成をとることで、振動検出部材１０８へ加わるカメラ本体２００からの不要な振動を大幅に低減させることができる。また、振動検出部材１０８は従来のような緩衝部材を用いることなく中間固定筒３０５に固定させたので、鏡筒全体の省スペース化を図り、コスト削減が可能である。
【図面の簡単な説明】
【００２６】
【図１】実施例１のレンズ鏡筒およびカメラ本体を含む光学機器の断面図
【図２】実施例２のレンズ鏡筒およびカメラ本体を含む光学機器の断面図
【符号の説明】
【００２７】
１０３  後側固定筒
１０５  中間固定筒
１０５ｂ  ネジ部
１０７  前側固定筒
１０７ｂ  ネジ部
１０８  振動検出部材
【図１】
2009053334.tif 000003
【図２】
2009053334.tif 000004